(57)【特許請求の範囲】
【請求項１】
カードを受け止める受け止め面（１２）を備えるカードソケット本体（１１）と、
それぞれがカードソケット本体（１１）に枢着され、受け止め面（１２）に垂直するとともに前記受け止め面（１２）よりも高い第１の位置及び受け止め面（１２）より高くない第２の位置まで回動可能な複数のインサートブロック（１３）と、を備え、
移動端末のカード（１４）は、第１の位置まで回動した複数のインサートブロック（１３）の間に係止されることを特徴とするカードソケット。 
【請求項２】
前記カードソケット本体（１１）は、受け止め面（１２）の周りにブロック壁（１５）を有することを特徴とする請求項１に記載のカードソケット。
【請求項３】
複数のインサートブロック（１３）のそれぞれは、段差状の係止部（１６）を備え、前記移動端末のカード（１４）は第１の位置まで回動された複数のインサートブロック（１３）の係止部（１６）の間に係止されることを特徴とする請求項１に記載のカードソケット。
【請求項４】
前記カードソケット本体（１１）は、
複数のインサートブロック（１３）のそれぞれに対して固定シート（１８）が設けられ、前記インサートブロック（１３）がピン軸（１９）を介して対応する固定シート（１８）に枢着されるインサートブロック固定板（１７）と、
インサートブロック板（１７）に固定され、複数のインサートブロック（１３）のそれぞれに対して穴（２１）が設けられ、前記インサートブロック（１３）が第１の位置まで回動された場合、前記穴（２１）から伸び出し、前記インサートブロック（１３）が第２の位置まで回動された場合、前記穴（２１）内に位置するパレット（２０）と、
を備えることを特徴とする請求項１から請求項３のいずれか１項に記載のカードソケット。
【請求項５】
前記インサートブロック固定板（１７）は、少なくとも一対の対向設置された第１の係止フック（２２）を備え、前記パレット（２０）は、各一対の第１の係止フック（２２）に対して、前記一対の第１の係止フック（２２）に係合する一対の第２の係止フック（２３）を備える、ことを特徴とする請求項４に記載のカードソケット。
【請求項６】
前記移動端末のカードの種類には、Ｍｉｎｉ ＳＩＭカード、Ｍｉｃｒｏ ＳＩＭカード、Ｎａｎｏ ＳＩＭが含まれることを特徴とする請求項１に記載のカードソケット。
【請求項７】
請求項１から請求項６のいずれか１項に記載の前記カードソケットを備えることを特徴とする移動端末。
【発明の詳細な説明】
【相互参照】
【０００１】
本願は、出願番号が２０１３１０１３０９５２．０であって、出願日が２０１３年４月１６日である中国特許出願に基づき優先権を主張し、当該中国特許出願の内容の全てを本願に援用する。
【技術分野】
【０００２】
本発明は、通信設備技術分野に関し、特にカードソケット及び移動端末に関する。
【背景技術】
【０００３】
技術の発達につれて、各種類の移動端末（例えば、携帯電話、ノートパソコン、タブレット）が日進月歩で発展している。例えば、携帯電話は、使用者の需要の増加につれて、その構成やスタイル、性能等のそれぞれがより頻繁に更新されている。
【０００４】
通常、携帯電話には、カードとマッチングするカードソケットが設置されている。このカードソケットは、同じ規格のカードのみとマッチングできるので、使用者が他の異なる規格のカードを使いたい場合、そのカードとマッチングすることができないため、携帯電話を使用できないという問題が存在し、カードとの適合性が悪く、使用性が非常に低いという技術的欠陥が存在している。
【発明の概要】
【０００５】
本発明は、使用者が移動端末を使用する際の利便性が向上するように、カードソケットとカードとの適合性を改善したカードソケット及び移動端末を提供する。
【０００６】
本発明の第１の態様は、カードを受け止める受け止め面を備えるカードソケット本体と、それぞれがカードソケット本体に枢着され、受け止め面に垂直する第１の位置及び受け止め面より高くない第２の位置まで回動可能な複数のインサートブロックと、を備え、移動端末のカードは、第１の位置まで回動した複数のインサートブロックの間に係止されることを特徴とするカードソケットを提供する。 
【０００７】
好ましくは、前記カードソケット本体は、受け止め面の周りにブロック壁を有する。
【０００８】
好ましくは、複数のインサートブロックのそれぞれは、段差状の係止部を備え、前記移動端末のカードは第１の位置まで回動された複数のインサートブロックの係止部の間に係止される。
【０００９】
好ましくは、前記カードソケット本体は、複数のインサートブロックのそれぞれに対して固定シートが設けられ、前記インサートブロックがピン軸を介して対応する固定シートに枢着されるインサートブロック固定板と、インサートブロック板に固定され、複数のインサートブロックのそれぞれに対して穴が設けられ、前記インサートブロックが第１の位置まで回動された場合、前記穴から伸び出し、第２の位置まで回動された場合、前記穴に位置するパレットと、を備える。
【００１０】
好ましくは、前記インサートブロック固定板は、少なくとも一対の対向設置された第１の係止フックを備え、前記パレットは、各一対の第１の係止フックに対して、前記一対の第１の係止フックに係合する一対の第２の係止フックを備える。
【００１１】
好ましくは、前記移動端末のカードの種類には、Ｍｉｎｉ ＳＩＭカード、Ｍｉｃｒｏ ＳＩＭカード、Ｎａｎｏ ＳＩＭが含まれる。
【００１２】
また、本発明の他の態様は、前記いずれかに記載されたカードソケットを備える移動端末を提供する。
【００１３】
本発明は、以下のような作用効果を獲得できる。
【００１４】
本発明は、複数のインサートブロックのそれぞれがカードソケット本体に枢着され、移動端末のカードの種類によって、対応位置における複数のインサートブロックが受け止め面に垂直する第１の位置まで回動させ、他の残りの複数のインサートブロックが受け止め面より高くない第２の位置まで回動させることで、移動端末のカードが複数のインサートブロックの間に係止される。本発明のカードソケットは、複数種類の規格のカードに適用され、カードとの適合性が高くなり、使用者が移動端末を使用する際の利便性が向上する。
【図面の簡単な説明】
【００１５】
【図１ａ】本発明の一実施例に係るカードソケット及びＭｉｃｒｏ ＳＩＭカードの組み立てを示す模式図である。
【図１ｂ】本発明の一実施例に係るカードソケット及びＭｉｃｒｏ ＳＩＭカードの組み立ての前の状態を示す模式図である。
【図２ａ】本発明の一実施例に係るカードソケット及びＭｉｎｉ ＳＩＭカードの組み立てを示す模式図である。
【図２ｂ】本発明の一実施例に係るカードソケット及びＭｉｎｉ ＳＩＭカードの組み立ての前の状態を示す模式図である。
【図３ａ】本発明の一実施例に係るカードソケット及びＮａｎｏ ＳＩＭカードの組み立てを示す模式図である。
【図３ｂ】本発明の一実施例に係るカードソケット及びＮａｎｏ ＳＩＭカードの組み立ての前の状態を示す模式図である。
【図４】本発明の一実施例に係るカードソケットの分解構成を示す模式図である。
【図５ａ】インサートブロックが第１の位置に位置する例を示す模式図である。
【図５ｂ】インサートブロックが第２の位置に位置する例を示す模式図である。
【図６ａ】インサートブロック固定板及びパレットの固定形態の例を示す模式図である。
【図６ｂ】図６ａのＡの一部を拡大する模式図である。
【発明を実施するための形態】
【００１６】
カードソケットとカードとの適合性を改善して、使用者が移動端末を使用する際の利便性を向上するため、本発明の実施例は、カードソケット及び移動端末を提供する。本発明によれば、複数のインサートブロックのそれぞれが、カードソケット本体に枢着され、移動端末のカードの種類によって、対応位置における複数のインサートブロックを、受け止め面に垂直する第１の位置まで回動させ、他の残りのインサートブロックを受け止め面より高くない第２の位置まで回動させることで、移動端末のカードを複数のインサートブロックの間に係止することができる。本発明のカードソケットは、複数種の規格のカードに適用でき、カードとの適合性が高く、使用者が移動端末を使用する際の利便性が向上する。本発明の目的、技術案及びメリットをより明確にするために、具体的な実施例を挙げて本発明をさらに詳細に説明する。 
【００１７】
図１ａ、図１ｂ及び図４に示すように、本発明の実施例に係るカードソケットは、
カードを受け止める受け止め面１２を備えるカードソケット本体１１と、
それぞれがカードソケット本体１１に枢着され、受け止め面１２に垂直する第１の位置及び受け止め面より高くない第２の位置まで回動することができる複数のインサートブロック１３と、を備え、
移動端末のカード１４は、第１の位置まで回動した複数のインサートブロック１３の間に係止される。
【００１８】
本発明に係る移動端末の具体的な種類に対しては特に限定しないが、例えば、携帯電話や、ノートパソコン、タブレット等が挙げられる。カードソケットとマッチングするカード１４の種類は特に限定しないが、例えば、Ｍｉｎｉ ＳＩＭカード（図２ａ及び図２ｂを参照）や、Ｍｉｃｒｏ ＳＩＭカード（図１ａ及び図１ｂを参照）や、Ｎａｎｏ ＳＩＭカード（図３ａ及び図３ｂを参照）等が挙げられる。
【００１９】
インサートブロック１３の具体的な数に対しては特に限定しないが、複数種のカード１４をそれぞれ保持できればよい。図４に示す実施例には、インサートブロック１３が計１２個設置される。図１ａ及び図１ｂに示すように、使用者が、Ｍｉｃｒｏ ＳＩＭカードを使用する場合、設定位置に位置する８個のインサートブロック１３を第１の位置まで回動させ、残りのインサートブロック１３を第２の位置に位置するようにすればよい。この場合、Ｍｉｃｒｏ ＳＩＭカードを係止することができる。同様に、図３ａ及び図３ｂに示すように、使用者がＮａｎｏ ＳＩＭカードを使用する場合、設定位置に位置する４個のインサートブロック１３を第１の位置まで回動させて、Ｎａｎｏ ＳＩＭカードを保持することができる。
【００２０】
本発明の実施例には、複数のインサートブロック１３のそれぞれがカードソケット本体１１に枢着され、移動端末のカード１４の種類によって、対応位置における複数のインサートブロック１３を、受け止め面１２に垂直する第１の位置まで回動させ、他の残りのインサートブロック１３を受け止め面より高くない第２の位置まで回動させて、移動端末のカード１４が複数のインサートブロック１３の間に係止される。本発明のカードソケットは、複数種のカード１４に適用でき、カード１４との適合性が高く、使用者が移動端末を使用する際の利便性が大幅に向上する。
【００２１】
図２ａ及び図２ｂに示すように、カードソケット本体１１は、受け止め面１２の周りにストッパー壁１５が設けられる。ストッパー壁１５も、ある規格のカード（例えばＭｉｎｉ ＳＩＭカード）を保持することができる。このように構成することで、カードソケットにマッチングできるカードの種類がさらに多くなり、使用者が移動端末を使用する際の利便性がさらに向上する。
【００２２】
インサートブロック１３の具体的な形状に対しては限定しないが、図５ａ及び図５ｂに示すように、該実施例において、複数のインサートブロック１３のそれぞれは段差状の係止部１６を備え、移動端末のカード１４は、第１の位置まで回動された複数のインサートブロック１３のそれぞれの係止部１６の間に係止されて、確実に固定される。また、移動端末のカード１４は、複数のインサートブロック１３及び受け止め面１２により形成された収容空間に直接に係止されてもよい。
【００２３】
カードソケット本体１１は一体に形成されてもよいし、組み立てた構成であってもよい。図４に示すように、該実施例によれば、カードソケット１１は、
複数のインサートブロック１３のそれぞれに対して固定シート１８が設けられ、インサートブロック１３がピン軸１９を介して対応する固定シート１８に枢着されたインサートブロック固定板１７と、
インサートブロック固定板１７に固定され、複数のインサートブロック１３のそれぞれに対して穴２１が設けられ、インサートブロック１３が第１の位置まで回動された場合、穴２１から伸び出し、第２の位置まで回動された場合、穴２１内に位置するパレット２０と、を備える。
【００２４】
インサートブロック固定板１７とパレット２０との間に、一定の間隔が設けられてもよいし（図６ａに示すように）、間隔がないように設計されてもよい。インサートブロック１３が第１の位置まで回動された場合に穴２１から伸び出し、第２の位置まで回動された場合に穴２１内に位置するように構成されてもよい。即ち、受け止め面１２より高くないように構成すればよい。
【００２５】
インサートブロック固定板１７及びパレット２０は薄肉板であることが好ましい。このようなカードソケットは、その全体の厚さが小さい。インサートブロック固定板１７及びパレット２０の固定の形態は限定されない。インサートブロック固定板１７は、図６ａ及び図６ｂに示すように、少なくとも一対の対向設置された係止フック２２を備え、パレット２０は、各一対の第１の係止フック２２に対してそれぞれ係合する第２の係止フック２３を備えることが好ましい。
【００２６】
一対の第１の係止フック２２が対向設置される（第２の係止フックも同様）とは、位置が真向かいになるように設置されてもよいが、真向かいにならないように設置されてもよい。ただし、係止方向が互いに反対になる必要があり、二つの板部材が固定できるようにすればよい。また、セルフロック構成を噛み合わせることで、二つの板部材が固定されると、組み立てが便利になり、重さも低減されるとともに、二つの板部材の固定が安定して確実になり、カードソケットの全体の厚さを増加することなく、製品の寸法設計が改善される。
【００２７】
本発明の実施例は、さらに、前記いずれの実施例に係る前記カードソケットを備える移動端末を提供する。この移動端末は、複数種のカードとマッチングされ、使用者が使用する時に便利になる。
【００２８】
なお、本発明の主旨や範囲を逸脱しない限り、本分野の当業者は、本発明に対して変更や変形などを実施することができる。本発明に対する補正や変形が、本発明の請求項及びそれに等しい技術の範囲内であれば、本発明は、これらの補正や変形も本発明の保護範囲に含まれることも企図している。
【図１ａ】
0006042557.tif 000002
【図１ｂ】
0006042557.tif 000003
【図２ａ】
0006042557.tif 000004
【図２ｂ】
0006042557.tif 000005
【図３ａ】
0006042557.tif 000006
【図３ｂ】
0006042557.tif 000007
【図４】
0006042557.tif 000008
【図５ａ】
0006042557.tif 000009
【図５ｂ】
0006042557.tif 000010
【図６ａ】
0006042557.tif 000011
【図６ｂ】
0006042557.tif 000012